(57)【特許請求の範囲】
【請求項１】
情報処理の実行が可能な項目である情報処理項目を複数記憶している項目記憶手段と、
前記項目記憶手段に記憶されている複数の情報処理項目の順位付けを行う順位付け手段と、
前記項目記憶手段に記憶されている複数の情報処理項目の中から、前記順位付け手段により付けられている順位に基づいて、１又は複数個の情報処理項目を選択する項目選択手段と、
前記項目選択手段により選択された情報処理項目を表示する項目表示手段と、
前記項目記憶手段に記憶されている情報処理項目の種類を選択する操作を受け付ける操作受付手段とを備え、
前記項目選択手段は、前記操作受付手段により種類の選択操作が受け付けられた場合、前記項目記憶手段に記憶されている複数の情報処理項目のうち、前記選択操作が受け付けられた種類の情報処理項目であって、前記項目表示手段により既に表示されている情報処理項目を除く情報処理項目の中から、１又は複数個の情報処理項目を再選択することを特徴とする情報処理装置。
【請求項２】
前記項目表示手段は、前記項目選択手段により選択された情報処理項目の種類を特定し、種類別の表示形態で前記情報処理項目を表示することを特徴とする請求項１記載の情報処理装置。
【請求項３】
前記項目表示手段は、前記項目選択手段により選択された情報処理項目の種類別に、前記情報処理項目を色分け表示し、あるいは、種類を示すアイコンと一緒に前記情報処理項目を表示することを特徴とする請求項２記載の情報処理装置。
【請求項４】
順位付け手段が、メモリに記憶されている情報処理の実行が可能な項目である情報処理項目の順位付けを行う順位付け処理ステップと、
項目選択手段が、前記メモリに記憶されている複数の情報処理項目の中から、前記順位付け処理ステップで付けられている順位に基づいて、１又は複数個の情報処理項目を選択する項目選択処理ステップと、
項目表示手段が、前記項目選択処理ステップで選択された情報処理項目を表示する項目表示処理ステップと、
操作受付手段が、前記メモリに記憶されている情報処理項目の種類を選択する操作を受け付ける操作受付処理ステップとを備え、
前記項目選択処理ステップでは、前記操作受付処理ステップで種類の選択操作が受け付けられた場合、前記メモリに記憶されている複数の情報処理項目のうち、前記選択操作が受け付けられた種類の情報処理項目であって、前記項目表示処理ステップで既に表示されている情報処理項目を除く情報処理項目の中から、１又は複数個の情報処理項目を再選択することを特徴とする情報処理方法。
【発明の詳細な説明】
【技術分野】
【０００１】
この発明は、情報処理の実行が可能な項目である情報処理項目をリスト表示して、実行対象の情報処理項目の選択操作を受け付ける情報処理装置及び情報処理方法に関するものである。
【背景技術】
【０００２】
以下の特許文献１には、種類が異なる複数のメニュー（情報処理項目：例えば、電話やメールに関するメニュー）を表示部に表示する際、ユーザが所望のメニューを容易に選択できるようにするために、種類別にメニューを色分け表示している情報処理装置が開示されている。
以下の特許文献２には、種類別にメニューを色分け表示するとともに、そのメニューと同色の操作キーを設けることで、簡単かつ確実に所望のメニューを選択できる情報処理装置が開示されている。
【先行技術文献】
【特許文献】
【０００３】
【特許文献１】特開２００２−１４０１４４号公報（例えば、段落番号［０００８］）
【特許文献２】特開平８−２５５０６７号公報（例えば、段落番号［０００６］）
【発明の概要】
【発明が解決しようとする課題】
【０００４】
従来の情報処理装置は以上のように構成されているので、情報処理項目であるメニューが色分け表示されるが、複数の情報処理項目をディスプレイに表示する際、ディスプレイの大きさや、ユーザの認知等に関する制約により、一度に表示可能な情報処理項目の数が限られる。このため、多くの情報処理項目が存在する場合、一度に全ての情報処理項目を表示することができないことがある。このような場合、ユーザがスクロールやページ送りなどの操作を繰り返さなければ、所望の情報処理項目が表示されず、多くの手間と時間を要してしまうなどの課題があった。【０００５】
この発明は上記のような課題を解決するためになされたもので、多くの情報処理項目が存在する場合でも、少ない操作で所望の情報処理項目を表示することができる情報処理装置及び情報処理方法を得ることを目的とする。
【課題を解決するための手段】
【０００６】
この発明に係る情報処理装置は、情報処理の実行が可能な項目である情報処理項目を複数記憶している項目記憶手段と、項目記憶手段に記憶されている複数の情報処理項目の順位付けを行う順位付け手段と、項目記憶手段に記憶されている複数の情報処理項目の中から、順位付け手段により付けられている順位に基づいて、１又は複数個の情報処理項目を選択する項目選択手段と、項目選択手段により選択された情報処理項目を表示する項目表示手段と、項目記憶手段に記憶されている情報処理項目の種類を選択する操作を受け付ける操作受付手段とを備え、項目選択手段が、操作受付手段により種類の選択操作が受け付けられた場合、項目記憶手段に記憶されている複数の情報処理項目のうち、その選択操作が受け付けられた種類の情報処理項目であって、項目表示手段により既に表示されている情報処理項目を除く情報処理項目の中から、１又は複数個の情報処理項目を再選択するようにしたものである。
【発明の効果】
【０００７】
この発明によれば、項目選択手段が、操作受付手段により種類の選択操作が受け付けられた場合、項目記憶手段に記憶されている複数の情報処理項目のうち、その選択操作が受け付けられた種類の情報処理項目であって、項目表示手段により既に表示されている情報処理項目を除く情報処理項目の中から、１又は複数個の情報処理項目を再選択するように構成したので、多くの情報処理項目が存在する場合でも、少ない操作で所望の情報処理項目を表示することができる効果がある。
【図面の簡単な説明】
【０００８】
【図１】この発明の実施の形態１による情報処理装置を示す構成図である。
【図２】この発明の実施の形態１による情報処理装置の処理内容（情報処理方法）を示すフローチャートである。
【図３】リスト生成部３により生成された情報処理項目のリストの一例を示す説明図である。
【図４】情報処理項目の表示例を示す説明である。
【図５】選択操作で受け付けられた種類の情報処理項目の抽出例を示す説明図である。
【図６】情報処理項目の表示例を示す説明である。
【図７】情報処理項目の表示例を示す説明である。
【図８】情報処理項目の種類の選択操作によって、表示対象の情報処理項目が切り換わる例を示す説明図である。
【図９】この発明の実施の形態２による情報処理装置を示す構成図である。
【図１０】種類を示すアイコンと一緒に情報処理項目を表示している例を示す説明図である。
【図１１】情報処理項目の種類の選択操作によって、表示対象の情報処理項目が切り換わる例を示す説明図である。
【発明を実施するための形態】
【０００９】
実施の形態１．
この実施の形態１では、情報処理装置が自動車用車載情報機器（例えば、カーナビゲーション装置）に適用されるものを想定しているが、これは一例に過ぎず、例えば、モバイルＰＣ、スマートフォン、携帯電話機などの情報端末機器にも同様に適用することができる。
図１はこの発明の実施の形態１による情報処理装置を示す構成図である。
図１において、意図推定部１は例えば自動車用車載情報機器に搭載されている処理部であり、ユーザの過去の操作状況などを考慮して、自動車用車載情報機器において、情報処理の実行が可能な項目である情報処理項目（例えば、ナビゲーションに関する項目、電話に関する項目、オーディオに関する項目、エアコンに関する項目など）が、ユーザにより選択される確率を算出する処理を実施する。
【００１０】
情報処理項目記憶部２は例えばＲＡＭやハードディスクなどの記憶装置から構成されており、自動車用車載情報機器における複数の情報処理項目を記憶している。なお、情報処理項目記憶部２は項目記憶手段を構成している。
リスト生成部３は例えばＣＰＵを実装している半導体集積回路、あるいは、ワンチップマイコンなどから構成されており、意図推定部１により算出された確率に基づいて、情報処理項目記憶部２に記憶されている複数の情報処理項目の順位付けを実施し、その順位通りに並んでいる情報処理項目のリストを生成する処理を実施する。なお、リスト生成部３は順位付け手段を構成している。
【００１１】
情報処理項目選択部４は例えばＣＰＵを実装している半導体集積回路、あるいは、ワンチップマイコンなどから構成されており、リスト生成部３により生成されたリストに含まれている複数の情報処理項目の中から、その順位に基づいて１又は複数個の情報処理項目を選択する処理を実施する。情報処理項目選択部４は、例えば、リストに含まれている複数の情報処理項目の中から、順位が高い上位規定数個（例えば、３個）の情報処理項目を選択する処理を実施すればよく、以下の説明でも同様とする。
情報処理項目表示処理部５は例えばＧＰＵ（Ｇｒａｐｈｉｃｓ  Ｐｒｏｃｅｓｓｉｎｇ  Ｕｎｉｔ）などから構成されており、情報処理項目選択部４又は項目再選択部９により選択された上位規定数個の情報処理項目を自動車用車載情報機器の液晶ディスプレイ６に表示する処理を実施する。なお、情報処理項目表示処理部５は項目表示手段を構成している。
ここでは、情報処理項目表示処理部５が情報処理項目を自動車用車載情報機器の液晶ディスプレイ６に表示する例を示しているが、情報処理項目表示処理部５が情報処理項目を示す情報を自動車用車載情報機器に出力し、自動車用車載情報機器の表示処理部（図示せず）が情報処理項目表示処理部５から出力された情報処理項目を示す情報にしたがって情報処理項目を液晶ディスプレイ６に表示するようにしてもよい。
【００１２】
操作受付処理部８は例えばＣＰＵを実装している半導体集積回路、あるいは、ワンチップマイコンなどから構成されており、自動車用車載情報機器に搭載されている操作部７（例えば、押下スイッチ、液晶ディスプレイ６に組み込まれているタッチパネルなど）の操作内容を受け付ける処理部である。
即ち、操作受付処理部８は情報処理項目表示処理部５によって液晶ディスプレイ６に表示されている情報処理項目の中から、実行対象の情報処理項目を選択する操作を受け付ける処理を実施する。
また、操作受付処理部８は情報処理項目記憶部２に記憶されている情報処理項目の種類（例えば、ナビゲーション、電話、オーディオ、エアコンなど）を選択する操作を受け付ける処理を実施する。なお、操作受付処理部８は操作受付手段を構成している。
【００１３】
項目再選択部９は例えばＣＰＵを実装している半導体集積回路、あるいは、ワンチップマイコンなどから構成されており、操作受付処理部８により種類の選択操作が受け付けられた場合、情報処理項目記憶部２に記憶されている複数の情報処理項目の中から、その選択操作が受け付けられた種類の情報処理項目を抽出する処理を実施する。
また、項目再選択部９は抽出処理後の情報処理項目（選択操作が受け付けられた種類の情報処理項目）の中から、情報処理項目表示処理部５によって液晶ディスプレイ６に既に表示されている情報処理項目を除外する処理を実施し、除外処理後の情報処理項目の中から、１又は複数個の情報処理項目を選択し、その選択した情報処理項目を情報処理項目表示処理部５に出力する処理を実施する。項目再選択部９は、選択する情報処理項目として、例えばリスト生成部３により付けられている順位に基づいて１又は複数個の情報処理項目を選択することができる。また、項目再選択部９は、例えば、リスト生成部３により付けられている順位が高い上位規定数個（例えば、３個）の情報処理項目を選択してもよく、これは以下の説明でも同様とする。
なお、情報処理項目選択部４及び項目再選択部９から項目選択手段が構成されている。
【００１４】
図１の例では、情報処理装置の構成要素である情報処理項目記憶部２、リスト生成部３、情報処理項目選択部４、情報処理項目表示処理部５、操作受付処理部８及び項目再選択部９のそれぞれが専用のハードウェアで構成されているものを想定しているが、情報処理装置がコンピュータで構成されていてもよい。
情報処理装置をコンピュータで構成する場合、情報処理項目記憶部２をコンピュータの内部メモリ又は外部メモリ上に構成するとともに、リスト生成部３、情報処理項目選択部４、情報処理項目表示処理部５、操作受付処理部８及び項目再選択部９の処理内容を記述しているプログラムをコンピュータのメモリに格納し、当該コンピュータのＣＰＵが当該メモリに格納されているプログラムを実行するようにすればよい。
図２はこの発明の実施の形態１による情報処理装置の処理内容（情報処理方法）を示すフローチャートである。
【００１５】
次に動作について説明する。
この実施の形態１では、説明の便宜上、情報処理項目記憶部２に記憶されている情報処理項目の種類が、ナビゲーション、電話、オーディオ及びエアコンの４種類であるものとする。
また、ナビゲーションに関する情報処理項目として「ＮＡＶＩ１」「ＮＡＶＩ２」・・・、電話に関する情報処理項目として「ＴＥＬ１」「ＴＥＬ２」・・・、オーディオに関する情報処理項目として「ＡＵＤＩＯ１」「ＡＵＤＩＯ２」・・・、エアコンに関する情報処理項目として「Ａ／Ｃ１」「Ａ／Ｃ２」・・・が情報処理項目記憶部２に記憶されているものとする。
【００１６】
まず、自動車用車載情報機器に搭載されている意図推定部１は、ユーザの過去の操作状況などを考慮して、自動車用車載情報機器における複数の情報処理項目のそれぞれが、ユーザにより選択される確率を算出する。
ユーザにより選択される確率の算出処理自体は公知の技術であるため、ここでは詳細な説明を省略するが、例えば、複数の情報処理項目における過去の実行回数を比較して、実行回数が多い情報処理項目ほど、ユーザにより選択される確率が高くなるような算出処理が考えられる。
【００１７】
リスト生成部３は、意図推定部１がユーザにより選択される確率を算出すると、ユーザにより選択される確率に基づいて、情報処理項目記憶部２に記憶されている複数の情報処理項目の順位付けを実施し、その順位通りに並んでいる情報処理項目のリストを生成する（ステップＳＴ１）。
即ち、リスト生成部３は、ユーザにより選択される確率が高い情報処理項目ほど、高い順位を付与して、高確率順の情報処理項目のリストを生成する。
ここで、図３はリスト生成部３により生成された情報処理項目のリストの一例を示す説明図である。
図３では、ユーザにより選択される確率が最も高い情報処理項目が「ＮＡＶＩ１」、次に確率が高い情報処理項目が「ＴＥＬ１」、その次に確率が高い情報処理項目が「ＮＡＶＩ２」である例を示している。
【００１８】
情報処理項目選択部４は、リスト生成部３が情報処理項目のリストを生成すると、そのリストに含まれている複数の情報処理項目の中から、順位が高い上位規定数個（例えば、３個）の情報処理項目を選択する（ステップＳＴ２）。
図３のリストが生成されている場合、例えば、上位規定数個が３個に設定されていれば、「ＮＡＶＩ１」「ＴＥＬ１」「ＮＡＶＩ２」の情報処理項目が選択される。
情報処理項目表示処理部５は、情報処理項目選択部４がユーザにより選択される確率が高い上位規定数個の情報処理項目を選択すると、上位規定数個の情報処理項目を自動車用車載情報機器の液晶ディスプレイ６に表示する（ステップＳＴ３）。
図４は情報処理項目の表示例を示す説明である。図４の例では、「ＮＡＶＩ１」「ＴＥＬ１」「ＮＡＶＩ２」の情報処理項目が表示されている。
【００１９】
ユーザは、液晶ディスプレイ６に表示されている情報処理項目を確認し、実行対象である所望の情報処理項目が表示されていれば（ステップＳＴ４）、自動車用車載情報機器に搭載されている操作部７を操作して、所望の情報処理項目を選択する。
図４の例では、「ＮＡＶＩ１」「ＴＥＬ１」又は「ＮＡＶＩ２」の情報処理項目を選択することができる。
操作受付処理部８は、ユーザが操作部７を操作して、実行対象である所望の情報処理項目を選択すると、その情報処理項目の選択操作を受け付けて、その情報処理項目の実行を自動車用車載情報機器に指示する（ステップＳＴ５）。
これにより、ユーザにより選択された情報処理項目が自動車用車載情報機器で実行される（ステップＳＴ６）。
【００２０】
ユーザは、液晶ディスプレイ６に表示されている情報処理項目を確認し、実行対象である所望の情報処理項目が表示されていなければ（ステップＳＴ４）、自動車用車載情報機器に搭載されている操作部７を操作して、情報処理項目記憶部２に記憶されている情報処理項目の種類（ナビゲーション、電話、オーディオ又はエアコン）を選択する。
操作受付処理部８は、ユーザが操作部７を操作して、情報処理項目の種類を選択すると、その情報処理項目の種類の選択操作を受け付けて、その種類を項目再選択部９に通知する（ステップＳＴ７）。
【００２１】
項目再選択部９は、操作受付処理部８からユーザにより選択された種類の通知を受けると、情報処理項目記憶部２に記憶されている複数の情報処理項目の中から、その種類の情報処理項目を抽出する（ステップＳＴ８）。
例えば、ユーザにより選択された種類がナビゲーションであれば、ナビゲーションに関する情報処理項目として「ＮＡＶＩ１」「ＮＡＶＩ２」・・・が抽出される。
また、ユーザにより選択された種類が電話であれば、電話に関する情報処理項目として「ＴＥＬ１」「ＴＥＬ２」・・・が抽出される。
図５は選択操作で受け付けられた種類の情報処理項目の抽出例を示す説明図である。図５の例では、電話に関する情報処理項目「ＴＥＬ１」「ＴＥＬ２」・・・が抽出されている。
【００２２】
項目再選択部９は、選択操作で受け付けられた種類の情報処理項目を抽出する処理を実施すると、抽出処理後の情報処理項目の中から、情報処理項目表示処理部５によって液晶ディスプレイ６に既に表示されている情報処理項目を除外する処理を実施する（ステップＳＴ９）。
例えば、図４に示すように、「ＮＡＶＩ１」「ＴＥＬ１」「ＮＡＶＩ２」の情報処理項目が表示されているとき、電話に関する情報処理項目「ＴＥＬ１」「ＴＥＬ２」・・・が抽出された場合、「ＴＥＬ１」の情報処理項目は、液晶ディスプレイ６に既に表示されている情報処理項目であるため、電話に関する情報処理項目「ＴＥＬ１」「ＴＥＬ２」・・・から「ＴＥＬ１」の情報処理項目を除外する。
ここでは、「ＴＥＬ１」の情報処理項目が除外されているため、除外処理後の情報処理項目は「ＴＥＬ２」「ＴＥＬ３」・・・になる。
【００２３】
項目再選択部９は、液晶ディスプレイ６に既に表示されている情報処理項目を除外する処理を実施すると、除外処理後の情報処理項目の中から、リスト生成部３により付けられている順位が高い上位規定数個（例えば、３個）の情報処理項目を選択する（ステップＳＴ１０）。
情報処理項目表示処理部５は、項目再選択部９が上位規定数個の情報処理項目を選択すると、上位規定数個の情報処理項目を自動車用車載情報機器の液晶ディスプレイ６に表示する（ステップＳＴ１１）。
図６は情報処理項目の表示例を示す説明である。図６の例では、「ＴＥＬ２」「ＴＥＬ３」「ＴＥＬ４」の情報処理項目が表示されている。
【００２４】
ユーザは、液晶ディスプレイ６に表示されている情報処理項目を確認し、実行対象である所望の情報処理項目が表示されていれば（ステップＳＴ１２）、自動車用車載情報機器に搭載されている操作部７を操作して、所望の情報処理項目を選択する。
図６の例では、「ＴＥＬ２」「ＴＥＬ３」又は「ＴＥＬ４」の情報処理項目を選択することができる。
操作受付処理部８は、ユーザが操作部７を操作して、実行対象である所望の情報処理項目を選択すると、その情報処理項目の選択操作を受け付けて、その情報処理項目の実行を自動車用車載情報機器に指示する（ステップＳＴ５）。
これにより、ユーザにより選択された情報処理項目が自動車用車載情報機器で実行される（ステップＳＴ６）。
【００２５】
ユーザは、液晶ディスプレイ６に表示されている情報処理項目を確認し、実行対象である所望の情報処理項目が表示されていなければ（ステップＳＴ１２）、所望の情報処理項目が表示されるまで、ステップＳＴ７〜ＳＴ１２の処理を繰り返し実施する。
例えば、自動車用車載情報機器に搭載されている操作部７を操作して、情報処理項目の種類として電話が選択されると、「ＴＥＬ１」〜「ＴＥＬ４」の情報処理項目は、液晶ディスプレイ６に既に表示されているため、項目再選択部９による除外処理後の情報処理項目が「ＴＥＬ５」「ＴＥＬ６」・・・になる。
そのため、図７に示すように、「ＴＥＬ５」「ＴＥＬ６」「ＴＥＬ７」の情報処理項目が表示される。
【００２６】
ここで、図８は情報処理項目の種類の選択操作によって、表示対象の情報処理項目が切り換わる例を示す説明図である。
図８の例では、実行対象である所望の情報処理項目が「ＡＵＤＩＯ５」である場合、情報処理項目の種類としてオーディオを２回選択すれば、「ＡＵＤＩＯ５」の情報処理項目が表示される。
また、実行対象である所望の情報処理項目が「Ａ／Ｃ３」である場合、情報処理項目の種類としてエアコンを１回選択すれば、「Ａ／Ｃ３」の情報処理項目が表示される。
【００２７】
以上で明らかなように、この実施の形態１によれば、項目再選択部９が、操作受付処理部８により種類の選択操作が受け付けられた場合、情報処理項目記憶部２に記憶されている複数の情報処理項目のうち、その選択操作が受け付けられた種類の情報処理項目であって、液晶ディスプレイ６に既に表示されている情報処理項目を除く情報処理項目の中から、リスト生成部３により付けられている順位が高い上位規定数個の情報処理項目を再選択するように構成したので、多くの情報処理項目が存在する場合でも、少ない操作で所望の情報処理項目を表示することができる効果を奏する。
【００２８】
実施の形態２．
図９はこの発明の実施の形態２による情報処理装置を示す構成図であり、図において、図１と同一符号は同一又は相当部分を示すので説明を省略する。
情報処理項目表示処理部１０は例えばＧＰＵ（Ｇｒａｐｈｉｃｓ  Ｐｒｏｃｅｓｓｉｎｇ  Ｕｎｉｔ）などから構成されており、図１の情報処理項目表示処理部５と同様に、情報処理項目選択部４又は項目再選択部９により選択された上位規定数個の情報処理項目を自動車用車載情報機器の液晶ディスプレイ６に表示する処理を実施する。
ただし、情報処理項目表示処理部１０は上位規定数個の情報処理項目を自動車用車載情報機器の液晶ディスプレイ６に表示する際、情報処理項目選択部４又は項目再選択部９により選択された情報処理項目の種類を特定し、種類別の表示形態で情報処理項目を表示する。
即ち、情報処理項目表示処理部１０は情報処理項目選択部４又は項目再選択部９により選択された情報処理項目の種類別に、その情報処理項目を色分け表示する。なお、情報処理項目表示処理部１０は項目表示手段を構成している。
【００２９】
ここでは、情報処理項目表示処理部１０が情報処理項目を自動車用車載情報機器の液晶ディスプレイ６に表示する例を示しているが、情報処理項目表示処理部１０が情報処理項目を示す情報を自動車用車載情報機器に出力し、自動車用車載情報機器の表示処理部（図示せず）が情報処理項目表示処理部１０から出力された情報処理項目を示す情報にしたがって情報処理項目を液晶ディスプレイ６に表示するようにしてもよい。
【００３０】
図９の例では、情報処理装置の構成要素である情報処理項目記憶部２、リスト生成部３、情報処理項目選択部４、情報処理項目表示処理部１０、操作受付処理部８及び項目再選択部９のそれぞれが専用のハードウェアで構成されているものを想定しているが、情報処理装置がコンピュータで構成されていてもよい。
情報処理装置をコンピュータで構成する場合、情報処理項目記憶部２をコンピュータの内部メモリ又は外部メモリ上に構成するとともに、リスト生成部３、情報処理項目選択部４、情報処理項目表示処理部１０、操作受付処理部８及び項目再選択部９の処理内容を記述しているプログラムをコンピュータのメモリに格納し、当該コンピュータのＣＰＵが当該メモリに格納されているプログラムを実行するようにすればよい。
【００３１】
次に動作について説明する。
この実施の形態２では、情報処理項目表示処理部１０が、上位規定数個の情報処理項目を液晶ディスプレイ６に表示する際の処理内容だけが、上記実施の形態１と相違している。
即ち、上記実施の形態１では、情報処理項目表示処理部５が、上位規定数個の情報処理項目を液晶ディスプレイ６に表示する際、上位規定数個の情報処理項目の種類が混在していても、全て同色で表示している。
これに対して、情報処理項目表示処理部１０は、表示中の情報処理項目の種類を容易に判別することができるようにするため、情報処理項目選択部４又は項目再選択部９により選択された上位規定数個の情報処理項目の種類を特定し、情報処理項目の種類別に、その情報処理項目を色分け表示するようにしている。
【００３２】
例えば、ナビゲーションに関する情報処理項目は“緑色”、電話に関する情報処理項目は“赤色”、オーディオに関する情報処理項目は“青色”、エアコンに関する情報処理項目は“紫色”のように事前に設定されている場合、情報処理項目表示処理部１０は、情報処理項目選択部４又は項目再選択部９により選択された情報処理項目が、ナビゲーションに関する情報処理項目であれば、その情報処理項目を“緑色”で表示し、情報処理項目選択部４又は項目再選択部９により選択された情報処理項目が、電話に関する情報処理項目であれば、その情報処理項目を“赤色”で表示する。
また、情報処理項目選択部４又は項目再選択部９により選択された情報処理項目が、オーディオに関する情報処理項目であれば、その情報処理項目を“青色”で表示し、情報処理項目選択部４又は項目再選択部９により選択された情報処理項目が、エアコンに関する情報処理項目であれば、その情報処理項目を“紫色”で表示する。
【００３３】
ここでは、情報処理項目表示処理部１０が、情報処理項目選択部４又は項目再選択部９により選択された情報処理項目の種類別に、その情報処理項目を色分け表示するものを示したが、種類別の表示形態で情報処理項目を表示するものであればよく、例えば、種類を示すアイコンと一緒に情報処理項目を表示するようにしてもよい。
図１０は種類を示すアイコンと一緒に情報処理項目を表示している例を示す説明図である。
【００３４】
ここで、図１１は情報処理項目の種類の選択操作によって、表示対象の情報処理項目が切り換わる例を示す説明図である。
図１１の例では、例えば、実行対象である所望の情報処理項目が「ＡＵＤＩＯ５」であれば、情報処理項目の種類としてオーディオを２回選択すれば、「ＡＵＤＩＯ５」の情報処理項目が表示される。
また、実行対象である所望の情報処理項目が「Ａ／Ｃ３」であれば、情報処理項目の種類としてエアコンを１回選択すれば、「Ａ／Ｃ３」の情報処理項目が表示される。
なお、ナビゲーションに関する情報処理項目は“緑色”、電話に関する情報処理項目は“赤色”、オーディオに関する情報処理項目は“青色”、エアコンに関する情報処理項目は“紫色”で表示されている。
【００３５】
以上で明らかなように、この実施の形態２によれば、情報処理項目表示処理部１０が上位規定数個の情報処理項目を自動車用車載情報機器の液晶ディスプレイ６に表示する際、情報処理項目選択部４又は項目再選択部９により選択された情報処理項目の種類を特定し、種類別の表示形態で情報処理項目を表示するように構成したので、表示中の情報処理項目の種類を容易かつ直感的に判別することができる効果を奏する。
【００３６】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００３７】
この発明に係る情報処理装置は、情報処理の実行が可能な項目である情報処理項目をリスト表示して、実行対象の情報処理項目の選択操作を受け付ける際、少ない操作回数で実行対象の情報処理項目を選択する必要性が高いものに適している。
【符号の説明】
【００３８】
１  意図推定部、２  情報処理項目記憶部（項目記憶手段）、３  リスト生成部（順位付け手段）、４  情報処理項目選択部（項目選択手段）、５  情報処理項目表示処理部（項目表示手段）、６  液晶ディスプレイ、７  操作部、８  操作受付処理部（操作受付手段）、９  項目再選択部（項目選択手段）、１０  情報処理項目表示処理部（項目表示手段）。
【図１】
0005980453.tif 000002
【図２】
0005980453.tif 000003
【図３】
0005980453.tif 000004
【図４】
0005980453.tif 000005
【図５】
0005980453.tif 000006
【図６】
0005980453.tif 000007
【図７】
0005980453.tif 000008
【図８】
0005980453.tif 000009
【図９】
0005980453.tif 000010
【図１０】
0005980453.tif 000011
【図１１】
0005980453.tif 000012